(57)【要約】【課題】ＴＯＣ情報が取得できない未ファイナライズ処理のディスクの再生時において、各トラックの曲開始時間情報及び総演奏時間情報を短時間で取得する。【解決手段】データエリアより外側の鏡面領域へピックアップを移動させ（Ｓ１０２）、鏡面領域に隣接するデータエリアの最外周にある最終トラックまでピックアップを戻し（Ｓ１０３）、最終トラックからディスクの内周方向へトラック毎にピックアップを移動させ、当該トラックのトラック開始からの記録時間に関する情報を取得して各トラックの曲開始時間を算出する（Ｓ１０８）。【選択図】  図１
2005149646.tif 000002
【特許請求の範囲】
【請求項１】
未ファイナライズディスク再生時の曲開始情報取得方法であって、
データエリアより外側の鏡面領域へピックアップを移動させるステップと、
前記鏡面領域に隣接するデータエリアの最外周にある最終トラックまで前記ピックアップを戻すステップと、
前記最終トラックからディスクの内周方向へトラック毎にピックアップを移動させるステップと、
トラック開始からの記録時間に関する情報を取得して各トラックの曲開始時間を算出するステップと、
を含むディスク再生装置の曲開始時間情報取得方法。
【請求項２】
前記ピックアップを移動させるステップは、ディスクの最大データ記録時間より微少時間だけ外周側の位置を目標地点としてピックアップを移動させて前記鏡面領域に到達させる請求項１記載のディスク再生装置の曲開始時間情報取得方法。
【請求項３】
前記ピックアップを移動させるステップは、第１のディスクの最大データ記録時間より微少時間だけ外周側の位置を目標地点として前記ピックアップを移動させるステップと、前記鏡面領域を検出しない場合は、当該位置のトラックにおけるトラック開始からの記録時間に係る情報を取得して曲開始時間を算出するステップと、前記第１のディスクより大径の第２のディスクの記録時間の最大データ記録時間より微少時間だけ外周側の位置を目標地点として前記ピックアップを移動させて前記鏡面領域に到達させるステップとを含む請求項１記載のディスク再生装置の曲開始時間情報取得方法。
【請求項４】
前記ピックアップを移動させるステップを、トラバースメカニズムを用いて実行する請求項１から３のいずれか一項記載のディスク再生装置の曲開始時間情報取得方法。
【請求項５】
未ファイナライズディスク再生時の総演奏時間情報取得方法であって、
データエリアより外側の鏡面領域へピックアップを移動させるステップと、
前記鏡面領域に隣接するデータエリアの最外周にある最終トラックまで前記ピックアップを戻すステップと、
前記ピックアップを所定間隔ずつ外周側へ移動させて前記ピックアップの位置における総記録時間に関する情報を更新するステップと、
前記鏡面領域へ再び到達する直前の総記録時間を音楽データの総演奏時間として把握するステップと、
を含むディスク再生装置の総演奏時間情報取得方法。
【請求項６】
未ファイナライズディスク再生時の総演奏時間情報取得方法であって、
データエリアより外側の鏡面領域へピックアップを移動させるステップと、
前記鏡面領域に隣接するデータエリアの最外周にある最終トラックまで前記ピックアップを戻すステップと、
ディスクを１倍速以上の速度で回転させて前記ピックアップの位置における総記録時間に関する情報を更新するステップと、
前記鏡面領域に再び到達する直前の総記録時間を音楽データの総演奏時間として把握するステップと、
を含むディスク再生装置の総演奏時間情報取得方法。
【請求項７】
前記総演奏時として把握するステップは、前記鏡面領域への再到達を検知できない場合、予め設定した所定時間が経過する直前の総記録時間を音楽データの総演奏時間として把握する請求項５又は６記載の総演奏時間情報取得方法。
【請求項８】
前記ピックアップを移動させるステップは、ディスクの最大データ記録時間より微少時間だけ外周側の位置を目標地点として前記ピックアップを移動させて前記鏡面領域に到達させる請求項５又は６記載のディスク再生装置の総演奏時間情報取得方法。
【請求項９】
前記ピックアップを移動させるステップは、第１のディスクの最大データ記録時間より微少時間だけ外周側の位置を目標地点として前記ピックアップを移動させるステップと、前記鏡面領域を検出しない場合は、当該位置のトラックにおけるトラック開始からの記録時間に関する情報を取得して曲開始時間を算出するステップと、前記第１のディスクより大径の第２のディスクの記録時間の最大データ記録時間より微少時間だけ外周側の位置を目標地点として前記ピックアップを移動させて前記鏡面領域に到達させるステップとを含む請求項５又は６記載のディスク再生装置の総演奏時間情報取得方法。
【請求項１０】
前記ピックアップを移動させるステップを、トラバースメカニズムを用いて実行する請求項５から９のいずれか一項記載のディスク再生装置の総演奏時間情報取得方法。
【発明の詳細な説明】
【技術分野】
【０００１】
本発明は、ＣＤ−Ｒ／ＲＷなどの記録ディスクの再生に係り、最終的なフォーマッティングが行われていない未ファイナライズ処理の記録ディスクに記録されている音楽データのトラック毎の曲開始時間及び総演奏時間の情報取得方法に関する。
【背景技術】
【０００２】
ピックアップでＣＤ（Compact Disc）等のディスクに記録されたデータを読み取り、再生するディスク再生装置が広く普及している。ＣＤには、ＴＯＣ（Table Of Contents）と呼ばれる索引情報が記録される領域があり、ディスクのプログラムエリアに記録された総記録情報片数（即ち、トラック数：例えば、音楽データの場合は総曲数）、最初のトラック番号、最終のトラック番号、総記録時間（例えば、音楽データの場合は総演奏時間）、トラック毎のトラック開始時間（例えば、音楽データの場合は曲開始時間）等がサブコードとして記録されている。ＣＤを再生する場合、ディスク再生装置はピックアップを所定の位置（ホーム位置）に移動させてからＣＤを回転させ、情報の読み取りが可能なセットアップ状態にしてから、ＴＯＣ情報の読み取りが行われる。
【０００３】
一方、近年データ追記が可能なＣＤ−Ｒ／ＲＷ等のディスクも出現し、ユーザが音楽データ等を自在に記録して再生することができる。データ追記が可能なディスクでは、音楽データなどのデータの書き込み完了後に各トラックの情報をＴＯＣデータとしてディスクのリードインエリアに記録するファイナライズ処理を行う。しかし、書き込みが完了していないディスクではファイナライズ処理を行っていないので、リードインエリアは鏡面となっている。そのため、未ファイナライズ処理のディスクでは、ピックアップを内周側から所定量ずつ外周側へ移動させ、各トラック内に記録されているサブコードから各曲の曲開始時間や総演奏時間を算出している（例えば、特許文献１参照）。トラック内のサブコードには、記録情報片番号（即ち、トラック番号：例えば、音楽データの場合は曲番号）、トラック開始からの記録時間（例えば、音楽データの場合は曲内の演奏時間）、トラック番号＝１から計測される総記録時間（例えば、音楽データの場合は総演奏時間）等のデータが記録されている。
【０００４】
図７は、従来のディスク再生装置の概略構成を示す図である。ディスク再生装置は、ピックアップ１１、ＲＦアンプ１２、サーボＬＳＩ１３、ドライバＩＣ１４、制御用マイコン１５を備える。ピックアップ１１は、ディスクより情報を読み取り、ＲＦアンプ１２は、ピックアップ１１からの信号を増幅する。サーボＬＳＩ１３は、ディスク上のデータの読み書きを最適な状態で行うよう、ピックアップの位置並びにピックアップとディスクとの距離などを制御する所謂サーボ制御を行い、またドライバＩＣ１４は、ピックアップ１１の移動制御を行う。制御用マイコン１５は、サーボＬＳＩ１３及びドライバＩＣ１４の制御を行う。
【０００５】
図８は、ファイナライズ処理されていないディスクの曲開始時間及び総演奏時間の従来の取得手順を示すフローチャートである。ディスク再生装置内のディスクがファイナライズ処理されていないディスクであると判定されると、制御用マイコン１５は、ピックアップ１１を所定時間（例えば、４０msec）だけ外周方向に動かし、内周の鏡面領域からデータエリアへ移動させる（ステップＳ６０１）。データエリアにピックアップが移動したら、データエリアのサブコードよりピックアップの位置におけるトラック（この場合、最初の第１トラック）の開始時間を算出する（ステップＳ６０２）。具体的には、総記録時間−トラック開始からの記録時間の減算を行う。
【０００６】
この時点で、現在のトラックより外周側に次のトラックが存在するか否かが不明であるため、ピックアップを外周方向に所定間隔（例えば、２００トラック）移動させる（ステップＳ６０３）。移動によりピックアップが最外周の鏡面領域に到達したか否かを判断し（ステップＳ６０４）、当該位置が鏡面領域ではなくデータエリアである場合、次のトラックへ到達したか否かをトラック番号情報で判断する（ステップＳ６０５）。トラック番号に変化がない場合は、ステップＳ６０３へ戻り、ピックアップ１１を再度外周方向へ所定トラック数だけ移動させる。トラック番号に変化がある場合、当該トラックにおけるトラックの開始時間を上記と同様の計算により算出する（ステップＳ６０６）。上記処理をピックアップが最外周の鏡面領域に到達するまで継続する。尚、総演奏時間は、ピックアップが外側の鏡面領域に到達する直前に取得された総記録時間情報から把握される。このように、ピックアップが最外周の鏡面領域に到達して初めて全トラック数が判明し、トラック毎の曲開始時間及び総演奏時間が把握される。
【０００７】
図９は、未ファイナライズ処理のディスクを再生する際、曲開始時間及び総演奏時間を把握するためのピックアップの動きの従来例を模式的に示した図である。ファイナライズ処理されていないＣＤ−Ｒ／ＲＷは、内周及び外周に鏡面領域（データが記録されていない領域）２２及び２３を有する。図に示すように、例えば、第１トラックの曲開始時間３１は、当該トラック内にあるピックアップ１１の位置における総記録時間３２からトラック内の記録時間３３を減算すれば算出できる。
【０００８】
【特許文献１】特開平５−２０５２７９号公報（第３頁、第１図）
【発明の開示】
【発明が解決しようとする課題】
【０００９】
しかしながら、従来の曲開始時間情報取得方法や総演奏時間情報取得方法では、ピックアップを少しずつ移動させるため、同じ曲内をピックアップが何度も移動して、曲開始時間や総演奏時間に関わる情報の把握に時間がかかる。ピックアップの移動回数Ｎ（Ｐ）は、記録されているトラック数（例えば、音楽データの場合は曲数）をＮ（ＴＮＯ）とすると、Ｎ（Ｐ）＞＞Ｎ（ＴＮＯ）となり、ピックアップの移動回数が多ければそれに伴う電力消費も増加する。一方、ピックアップの１回の移動量を大きくすれば移動回数が減少し、情報の取得に要する時間は短縮されるが、短い曲がスキップされ正しい情報が取得できない。
【００１０】
本発明は上記事情に鑑みてなされたもので、ＴＯＣ情報が取得できない未ファイナライズ処理のディスクの再生時において、各トラックの曲開始時間情報及び総演奏時間情報を短時間で取得でき、取得に関わる消費電力を低減できるディスク再生装置の曲開始時間情報取得方法及び総演奏時間情報取得方法を提供することを目的とする。
【課題を解決するための手段】
【００１１】
本発明のディスク再生装置の曲開始時間情報取得方法は、未ファイナライズディスク再生時の曲開始情報取得方法であって、データエリアより外側の鏡面領域へピックアップを移動させるステップと、前記鏡面領域に隣接するデータエリアの最外周にある最終トラックまで前記ピックアップを戻すステップと、前記最終トラックからディスクの内周方向へトラック毎にピックアップを移動させるステップと、トラック開始からの記録時間に関する情報を取得して各トラックの曲開始時間を算出するステップとを含む。この方法によれば、１回のピックアップの移動でトラック内のサブコード情報を取得することができるため、各トラックの曲開始時間情報の取得においてピックアップの移動回数を低減でき、再生開始までの時間が短縮され、電力消費量も低減できる。
【００１２】
本発明のディスク再生装置の曲開始時間情報取得方法において、前記ピックアップを移動させるステップは、ディスクの最大データ記録時間より微少時間だけ外周側の位置を目標地点としてピックアップを移動させて前記鏡面領域に到達させる。この方法によれば、暴走等を防止して適切に即座にピックアップを外周の鏡面領域に到達させることができるので、曲開始時間情報取得において再生開始までの時間が短縮され、電力消費量も低減できる。
【００１３】
本発明のディスク再生装置の曲開始時間情報取得方法において、前記ピックアップを移動させるステップは、第１のディスクの最大データ記録時間より微少時間だけ外周側の位置を目標地点として前記ピックアップを移動させるステップと、前記鏡面領域を検出しない場合は、当該位置のトラックにおけるトラック開始からの記録時間に係る情報を取得して曲開始時間を算出するステップと、前記第１のディスクより大径の第２のディスクの記録時間の最大データ記録時間より微少時間だけ外周側の位置を目標地点として前記ピックアップを移動させて前記鏡面領域に到達させるステップとを含む。この方法によれば、外径の異なる第１のディスク（８ｃｍディスク）であっても、暴走等を防止して適切に即座にピックアップを外周の鏡面領域に到達させることができるので、曲開始時間情報取得において再生開始までの時間が短縮され、電力消費量も低減できる。
【００１４】
本発明のディスク再生装置の曲開始時間情報取得方法において、前記ピックアップを移動させるステップを、トラバースメカニズムを用いて実行する。この方法によれば、暴走等を防止して適切に即座にピックアップを外周の鏡面領域に到達させることができるので、曲開始時間情報取得において再生開始までの時間が短縮され、電力消費量も低減できる。
【００１５】
また、本発明のディスク再生装置の総演奏時間情報取得方法は、未ファイナライズディスク再生時の総演奏時間情報取得方法であって、データエリアより外側の鏡面領域へピックアップを移動させるステップと、前記鏡面領域に隣接するデータエリアの最外周にある最終トラックまで前記ピックアップを戻すステップと、前記ピックアップを所定間隔ずつ外周側へ移動させて前記ピックアップの位置における総記録時間に関する情報を更新するステップと、前記鏡面領域へ再び到達する直前の総記録時間を音楽データの総演奏時間として把握するステップとを含む。この方法によれば、１回のピックアップの移動でトラック内のサブコード情報を取得することができるため、総演奏時間情報取の取得においてピックアップの移動回数を低減でき、再生開始までの時間が短縮され、電力消費量も低減できる。
【００１６】
また、本発明のディスク再生装置の総演奏時間情報取得方法は、未ファイナライズディスク再生時の総演奏時間情報取得方法であって、データエリアより外側の鏡面領域へピックアップを移動させるステップと、前記鏡面領域に隣接するデータエリアの最外周にある最終トラックまで前記ピックアップを戻すステップと、ディスクを１倍速以上の速度で回転させて前記ピックアップの位置における総記録時間に関する情報を更新するステップと、前記鏡面領域に再び到達する直前の総記録時間を音楽データの総演奏時間として把握するステップとを含む。この方法によれば、１回のピックアップの移動でトラック内のサブコード情報を取得することができるため、総演奏時間情報取の取得においてピックアップの移動回数を低減でき、再生開始までの時間が短縮され、電力消費量も低減できる。
【００１７】
本発明のディスク再生装置の総演奏時間情報取得方法において、前記総演奏時として把握するステップは、前記鏡面領域への再到達を検知できない場合、予め設定した所定時間が経過する直前の総記録時間を音楽データの総演奏時間として把握する。この方法によれば、ポストギャップにピックアップが到達した際に内周方向へピックアップが押し戻されて外周の鏡面領域まで達することができない場合でも、確実に総演奏時間情報が取得できる。
【００１８】
本発明のディスク再生装置の総演奏時間情報取得方法において、前記ピックアップを移動させるステップは、ディスクの最大データ記録時間より微少時間だけ外周側の位置を目標地点として前記ピックアップを移動させて前記鏡面領域に到達させる。この方法によれば、暴走等を防止して適切に即座にピックアップを外周の鏡面領域に到達させることができるので、総演奏時間情報取得において再生開始までの時間が短縮され、電力消費量も低減できる。
【００１９】
本発明のディスク再生装置の総演奏時間情報取得方法において、前記ピックアップを移動させるステップは、第１のディスクの最大データ記録時間より微少時間だけ外周側の位置を目標地点として前記ピックアップを移動させるステップと、前記鏡面領域を検出しない場合は、当該位置のトラックにおけるトラック開始からの記録時間に関する情報を取得して曲開始時間を算出するステップと、前記第１のディスクより大径の第２のディスクの記録時間の最大データ記録時間より微少時間だけ外周側の位置を目標地点として前記ピックアップを移動させて前記鏡面領域に到達させるステップとを含む。この方法によれば、外径の異なる第１のディスク（８ｃｍディスク）であっても、暴走等を防止して適切に即座にピックアップを外周の鏡面領域に到達させることができるので、総演奏時間情報取得において再生開始までの時間が短縮され、電力消費量も低減できる。
【００２０】
本発明のディスク再生装置の総演奏時間情報取得方法において、前記ピックアップを移動させるステップを、トラバースメカニズムを用いて実行する。この方法によれば、暴走等を防止して適切に即座にピックアップを外周の鏡面領域に到達させることができるので、総演奏時間情報取得において再生開始までの時間が短縮され、電力消費量も低減できる。
【発明の効果】
【００２１】
本発明によれば、１回のピックアップの移動でトラック内のサブコード情報を取得することができるため、ファイナライズ処理されていないディスクの各トラックの曲開始時間や総演奏時間の把握に関するピックアップの移動回数を減少させることができ、再生開始までの時間を短縮できる。また、ピックアップの移動に伴う電力消費量を低減できる。
【発明を実施するための最良の形態】
【００２２】
以下、添付図面を参照しながら本発明の一実施形態に係るディスク再生装置の曲開始時間情報取得方法及び総演奏時間情報取得方法について詳細に説明する。尚、実施の形態を説明するための全図において、同一機能を有するものは同一符号を付与し、説明は繰り返さないこととする。はじめに、ディスク再生装置の曲開始時間情報取得方法について説明する。本発明の曲開始時間情報取得方法では、最初に最終トラック内にピックアップを移動させて最終トラックの曲開始時間を算出し、算出された曲開始時間より微少時間内周側の位置へピックアップを移動して前方のトラックの曲開始時間情報を算出するという動作を繰り返すことにより、各トラックの曲開始時間情報を取得する。
【００２３】
（実施の形態１）
図１は、本発明の実施の形態１におけるファイナライズ処理されていないディスクの曲開始時間情報の取得手順を示すフローチャートである。ディスク再生装置内のディスクがファイナライズ処理されていないディスクであると判定されると、ドライバＩＣ１４は、ピックアップ１１を所定時間（例えば、４０msec）だけ外周方向へ動かし、内周の鏡面領域からデータエリアに移動させる（ステップＳ１０１）。データエリアにピックアップ１１が移動したら、ドライバＩＣ１４は更にピックアップ１１を外周方向へ移動させ、鏡面領域まで到達させる（ステップＳ１０２）。ピックアップ１１が外周の鏡面領域に到達したところでフォーカス／トラッキングが外れるため、外周の鏡面領域に到達したことが確認できる。
【００２４】
次に、外周の鏡面領域から内周方向へピックアップ１１を所定時間移動させてデータエリアの最終トラック内に戻す（ステップＳ１０３）。制御用マイコン１５は、ピックアップの位置における当該トラック番号を最終トラック番号として取得し、サブコードを用いて当該トラックのトラック開始時間（即ち、曲開始時間）を算出する（ステップＳ１０４）。具体的には、ピックアップの位置における総記録時間よりトラック開始からの記録時間を減算する。
【００２５】
制御用マイコン１５は、取得した曲開始時間より微少時間内周側（例えば、３秒間）を目標位置としてピックアップ１１を移動させる（ステップＳ１０５）。この移動により、ピックアップは１つ前のトラック内に入る。移動後の位置が内周の鏡面領域であるか否かを判定し（ステップＳ１０６）、鏡面領域に到達していない場合、次に、当該トラックが最内周の第１トラックであるか否かを判定する（ステップＳ１０７）。第一トラックでない場合、制御用マイコン１５は、上述と同様の方法で、サブコードを用いて当該トラックの曲開始時間を算出する（ステップＳ１０８）。その後、ステップＳ１０５へ戻り、取得した曲開始時間より微少時間内周側を目標位置として、更にピックアップ１１を移動させる。以上のステップＳ１０５からステップＳ１０８までの手順を繰り返し、ピックアップ１１が内周の鏡面領域に到達するか、または最初のトラック番号を検出した時点で処理を完了して手順を終了する。
【００２６】
図２は、未ファイナライズ処理のディスクを再生する際、曲開始時間及び総演奏時間を把握するためのピックアップの動きを模式的に示した図である。図に示すように、曲開始時間情報を取得するための動作において、ピックアップの移動回数Ｎ（Ｐ）は、Ｎ（Ｐ）＝Ｎ（ＴＮＯ）となり、情報取得に関わるピックアップの移動回数が低減される。
【００２７】
以上のように、本実施の形態１の曲開始時間情報取得方法によれば、曲開始時間情報を取得するための動作においてピックアップの移動回数が低減されるので、再生開始までの時間が短縮され、またピックアップの移動に伴う電力消費量を低減することができる。
【００２８】
ところで、ピックアップを内周の鏡面領域からデータエリアに移動した後、外周の鏡面領域へ到達させる方法としては、ディスクの最大データ記録時間より微少時間外周側（例えば、８１分）の位置を目標地点としてピックアップを移動させればよい。例えば、１０分のデータしか記録されていない場合でも、ピックアップは適切な位置で移動を停止するので、ピックアップの位置を考慮する必要無しに１回のピックアップの移動により、外周の鏡面領域を検出することが可能になる。
【００２９】
（実施の形態２）
ファイナライズ処理されていないＣＤ−Ｒ／ＲＷが８ｃｍディスクである場合、１２ｃｍディスクの最大データ記録時間より微少時間外周側の位置を目標にピックアップを移動させると、ピックアップが８ｃｍディスクの外周の鏡面領域を検出しても、惰性で更に外側へ移動してしまう。そのため、その後ピックアップを内周方向へ一定時間移動させてもデータエリアに到達できず、リトライが必要な場合が生じて曲開始時間情報取得のための処理時間が長くなる。
【００３０】
そこで、ディスク再生装置に８ｃｍディスクが装着された場合でもピックアップが外周の鏡面領域に適切に到達できるように、本実施の形態２の曲開始時間情報取得方法では、ピックアップを外側の鏡面領域へ移動させる際に２段階で移動を行う。つまり、最初に、８ｃｍディスクの最大データ記録時間より微少時間外周側（例えば、最大時間＋１分）の位置を目標としてピックアップを移動させ、当該移動位置が鏡面領域でない場合のみ、１２ｃｍディスクの最大データ記録時間より微少時間外周側（例えば、８１分）を目標として再度ピックアップを移動させる。
【００３１】
図３は、本発明の実施の形態２におけるファイナライズ処理されていないディスクの曲開始時間情報の取得手順のうち、ピックアップを２段階で外周の鏡面領域へ移動させる手順を示すフローチャートである。はじめに、８ｃｍディスクの最大データ記録時間より微少時間外周側（例えば、最大時間＋１分）の位置を目標としてピックアップを移動させ（ステップＳ２０１）、移動位置がデータの記録されていない鏡面領域であるか否かを判断する（ステップＳ２０２）。ここで、ディスクが８ｃｍのＣＤ−Ｒ／ＲＷディスクである場合、鏡面領域に達するのでピックアップの移動処理手順を終了する。一方、１２ｃｍディスクの場合、移動位置は鏡面領域ではないので、制御用マイコン１５は、移動位置のトラックにおける曲開始時間情報を算出した後（ステップＳ２０３）、１２ｃｍディスクの最大データ記録時間より微少時間外周側（例えば、８１分）を目標に、ピックアップを移動させる（ステップＳ２０４）。
【００３２】
これにより最大２回の移動でピックアップを外周の鏡面領域に到達させることができる。また、１２ｃｍディスクである場合は、２度のピックアップの移動が必要となるが、最初の移動において当該トラックの曲開始時間情報が取得されているため、その後外周から内周に向かって各トラックの曲開始時間情報を算出していく過程において、既に曲開始時間情報を取得しているトラックはスキップすることができる。その他の曲開始時間情報取得に関わる手順は、実施の形態１と同様であるので説明を省略する。
【００３３】
以上のように、本実施の形態２の曲開始時間情報取得方法によれば、８ｃｍのＣＤ−Ｒ／ＲＷでも外周の鏡面領域検出後にピックアップを即座に停止させることができ、短時間で適切に曲開始時間情報が取得できる。
【００３４】
尚、ピックアップの外周側鏡面領域への移動は、ディスク再生装置のトラバースメカニズムを用いて行う。ピックアップは外周の鏡面領域に到達したところでフォーカス／トラッキングが外れるため、例えば１０分のデータしか記録されていない場合でも、ピックアップは鏡面に達したところで移動を停止し、ピックアップの位置を考慮する必要無しに１回のピックアップの移動により、外周の鏡面を検出することが可能となる。
【００３５】
次に、ディスク再生装置の総演奏時間情報取得方法について説明する。本発明の総演奏時間情報取得方法では、最初に最終トラック内にピックアップを移動させ、そこから外周方向にピックアップを移動させながら、外周の鏡面領域に到達する直前にサブコードから取得した総記録時間情報を総演奏時間として把握することにより、ディスクの総演奏時間情報を短時間で取得する。
【００３６】
（実施の形態３）
図４は、本発明の実施の形態３におけるファイナライズ処理されていないディスクの総演奏時間情報の取得手順を示すフローチャートである。ディスク再生装置内のディスクがファイナライズ処理されていないディスクであると判定されると、ドライバＩＣ１４は、ピックアップ１１を所定時間（例えば、４０msec）だけ外周方向へ動かし、内周の鏡面領域からデータエリアに移動させる（ステップＳ３０１）。データエリアにピックアップ１１が移動したら、ドライバＩＣ３４は更にピックアップ１１を外周方向へ移動させ、鏡面領域まで到達させる（ステップＳ３０２）。ピックアップ１１が外周の鏡面に達したところでフォーカス／トラッキングが外れるため外周の鏡面に到達したことが確認できる。
【００３７】
次に、ピックアップ１１を外周の鏡面領域から内周方向へ所定時間移動させてデータエリアの最終トラック内に戻す（ステップＳ３０３）。その後当該地点から所定トラック数（例えば、２トラック）ずつピックアップを外周方向へ移動させ、都度サブコードからデータの総記録時間情報を取得して更新する（ステップＳ３０４）。制御用マイコン１５は、ピックアップが鏡面領域に到達したか否かを判断して（ステップＳ３０５）、鏡面領域に到達した場合は、直前に取得した総記録時間情報をディスクの総演奏時間とする（ステップＳ３０６）。
【００３８】
以上のように、本実施の形態３の総演奏時間情報取得方法によれば、短時間で適切に総演奏時間情報が取得できる。
【００３９】
（実施の形態４）
図５は、本発明の実施の形態４におけるファイナライズ処理されていないディスクの総演奏時間情報の取得手順を示すフローチャートである。ステップＳ４０１からステップＳ４０３までの手順は、実施の形態３における図４のフローチャートのステップＳ３０１からステップＳ３０３までのそれと同じであるので説明を省略する。
【００４０】
その後、当該地点からディスクを１倍速以上の速度（例えば、４倍速）で再生させながら、常時サブコードからデータの総記録時間情報を取得し、更新する（ステップＳ４０４）。制御用マイコン１５は、ピックアップが鏡面領域に到達したか否かを判断して（ステップＳ４０５）、鏡面領域に到達した場合は、直前に取得した総記録時間情報をディスクの総演奏時間とする（ステップＳ４０６）。
【００４１】
以上のように、本実施の形態４の総演奏時間情報取得方法によれば、短時間で適切に総演奏時間情報が取得できる。
【００４２】
尚、上記の実施の形態３及び４では、外周の鏡面領域からピックアップを一旦内周側のデータエリアに戻し、当該地点からピックアップを外周方向へ移動させるが、データの終端に存在するポストギャップによりピックアップが内周側へ戻され、鏡面に到達できない場合がある。そこで、所定時間（例えば、１０秒）のタイムリミットを設定し、タイムアウトした時点でピックアップがデータの終端位置（即ち、最終位置）に存在すると推定して、その時点で取得している総記録時間情報をディスクの総演奏時間として把握するような設定を行うことが好ましい。タイムリミットを設定しておけば、確実に総演奏時間情報を取得することができる。
【００４３】
（実施の形態５）
ファイナライズ処理されていないＣＤ−Ｒ／ＲＷが８ｃｍディスクである場合、１２ｃｍディスクの最大データ記録時間より微少時間外周側の位置を目標にピックアップを移動させると、ピックアップが８ｃｍディスクの外周の鏡面領域を検出しても、惰性で更に外周側へ移動してしまう。そのため、その後ピックアップを内周方向へ一定時間移動させてもデータエリアに到達できず、リトライが必要な場合が生じて総演奏時間情報取得のための処理時間が長くなる。
【００４４】
そこで、ディスク再生装置に８ｃｍディスクが装着された場合でもピックアップが外周の鏡面領域に適切に到達できるように、本実施の形態５の総演奏時間情報取得方法では、ピックアップを外側の鏡面領域へ移動させる際に２段階で移動を行う。つまり、最初に、８ｃｍディスクの最大データ記録時間より微少時間外周側（例えば、最大時間＋１分）の位置を目標としてピックアップを移動させ、当該移動位置が鏡面領域でない場合のみ、１２ｃｍディスクの最大データ記録時間より微少時間外周側（例えば、８１分）を目標として再度ピックアップを移動させる。
【００４５】
図６は、本発明の実施の形態５におけるファイナライズ処理されていないディスクの総演奏時間情報の取得手順のうち、ピックアップを２段階で外周の鏡面領域へ移動させる手順を示すフローチャートである。はじめに、８ｃｍディスクの最大データ記録時間より微少時間外周側（例えば、最大時間＋１分）の位置を目標としてピックアップを移動させ（ステップＳ５０１）、移動位置がデータの記録されていない鏡面領域であるか否かを判断する（ステップＳ５０２）。ここで、ディスクが８ｃｍのＣＤ−Ｒ／ＲＷディスクである場合、鏡面領域に達するのでピックアップの移動処理手順を終了する。一方、１２ｃｍディスクの場合、移動位置は鏡面領域ではないので、制御用マイコン１５は、１２ｃｍディスクの最大データ記録時間より微少時間外周側（例えば、８１分）を目標に、ピックアップを再移動させる（ステップＳ５０３）。
【００４６】
これにより最大２回の移動でピックアップを外周鏡面領域に到達させることができる。その他の総演奏時間情報取得に関わる手順は、実施の形態３または４と同様であるので説明を省略する。
【００４７】
以上のように、本実施の形態５の総演奏時間情報取得方法によれば、８ｃｍのＣＤ−Ｒ／ＲＷでも外周の鏡面領域検出後にピックアップを即座に停止させることができ、短時間で適切に総演奏時間情報が取得できる。
【００４８】
以上の実施の形態の説明において、曲開始時間情報取得手順と総演奏時間情報取得手順を別々に説明したが、例えば、総演奏時間情報の取得後に曲開始時間情報を取得するというように、両方の取得動作を連続して行ってもかまわない。
【産業上の利用可能性】
【００４９】
本発明のディスク再生装置の曲開始時間情報取得方法及び総演奏時間情報取得方法は、１回のピックアップの移動でトラック内のサブコード情報を取得することができるため、ファイナライズ処理されていないディスクの各トラックの曲開始時間や総演奏時間の把握に関するピックアップの移動回数を減少させることができ、再生開始までの時間を短縮できるという効果を有し、ＣＤ−Ｒ／ＲＷなどの記録ディスクの再生技術として有用である。
【図面の簡単な説明】
【００５０】
【図１】本発明の実施の形態１におけるファイナライズ処理されていないディスクの曲開始時間情報の取得手順を示すフローチャートである。
【図２】未ファイナライズ処理のディスクを再生する際、曲開始時間及び総演奏時間を把握するための本発明におけるピックアップの動きを模式的に示した図である。
【図３】本発明の実施の形態２におけるファイナライズ処理されていないディスクの曲開始時間情報の取得手順のうち、ピックアップを２段階で外周の鏡面領域へ移動させる手順を示すフローチャートである。
【図４】本発明の実施の形態３におけるファイナライズ処理されていないディスクの総演奏時間情報の取得手順を示すフローチャートである。
【図５】本発明の実施の形態４におけるファイナライズ処理されていないディスクの総演奏時間情報の取得手順を示すフローチャートである。
【図６】本発明の実施の形態５におけるファイナライズ処理されていないディスクの総演奏時間情報の取得手順のうち、ピックアップを２段階で外周の鏡面領域へ移動させる手順を示すフローチャートである。
【図７】従来のディスク再生装置の概略構成を示す図である。
【図８】ファイナライズ処理されていないディスクの曲開始時間及び総演奏時間の従来の取得手順を示すフローチャートである。
【図９】未ファイナライズ処理のディスクを再生する際、曲開始時間及び総演奏時間を把握するためのピックアップの動きの従来例を模式的に示した図である。
【符号の説明】
【００５１】
１１  ピックアップ
１２  ＲＦアンプ
１３  サーボＬＳＩ
１４  ドライバＩＣ
１５  制御用マイコン
２１  ディスク
２２、２３  鏡面領域
【図１】
2005149646.tif 000003
【図２】
2005149646.tif 000004
【図３】
2005149646.tif 000005
【図４】
2005149646.tif 000006
【図５】
2005149646.tif 000007
【図６】
2005149646.tif 000008
【図７】
2005149646.tif 000009
【図８】
2005149646.tif 000010
【図９】
2005149646.tif 000011